(57)【特許請求の範囲】
【請求項１】
空気の圧力制御が行われる室に、壁に明けた孔を挟んで大気圧に対して陽圧あるいは陰圧に切り替える一対の差圧調整ダンパを設けるとともに、両差圧調整ダンパ間に室を陽圧あるいは陰圧のいずれかに切り替えるスライド遮蔽部材を前記孔内に設置してなることを特徴とする陽圧・陰圧対応差圧調整ダンパ。
【請求項２】
前記スライド遮蔽部材に双方の室で操作可能な複数のスライド用爪を設けてなることを特徴とする請求項１記載の陽圧・陰圧対応差圧調整ダンパ。
【請求項３】
空気の圧力制御が行われる室に、壁に明けた孔を挟んで配設され、かつ、孔に支持され空気を流通する連結部材で連結され大気圧に対して陽圧あるいは陰圧に切り替える一対の差圧調整ダンパを設けるとともに、連結された一対の差圧調整ダンパを移動して当接させ、室を陽圧あるいは陰圧のいずれかに切り替える遮蔽部材を前記孔内に設置してなることを特徴とする陽圧・陰圧対応差圧調整ダンパ。
【発明の詳細な説明】
【０００１】
【発明の属する技術分野】
本発明は、陽圧・陰圧対応差圧調整ダンパに係り、特に、室内の圧力を調整する差圧ダンパで、大気圧に対して室内の空気を陽圧あるいは陰圧に切り替えることが可能な差圧調整ダンパに関する。
【０００２】
【従来の技術】
従来、電子部品、精密機械部品、食品、医薬品等の工場や病院等におけるクリーンルームでは、品質管理等のため室内の温湿度条件を一定範囲に保持するとともに、微小な室内の空気圧力変動にも迅速に対応して室内の空気を外部に流すことが可能な差圧ダンパが設置されている。この差圧ダンパは、室内への汚染空気の流入防止や、室内からの汚染空気のリーク防止のために差圧調整ダンパを用いて陽圧側の室から陰圧側の室あるいは大気圧に微小流体の空気を通過させて圧力制御を行う差圧ダンパに関するものであり、これに対する特許出願はメーカから数多くがなされている。例えば、その一例として、特公平１−４４９３７号公報が提案されており、同公報は図９および図１０に示すように構成され、その微差圧の制御としては優れたものである。図９および図１０によれば、差圧ダンパ６１は、壁面６３に取付けたダンパ枠６５の中心部に固定されたシャフト６７に、シャフト６７に沿って摺動自在に係合した羽根６９が付いている。前記シャフト６７は、水平方向に対して多少上向きに角度を付けて設置しているため、室間に差圧が生じない限り、前記羽根６９およびバランスウエイト７１の自重により全閉状態を保っている。差圧が生じたときには前記羽根６９が上方向に摺動し、ダンパ枠６５と羽根６９の間に生じた隙間から気流を流して圧力を調整するような構造である。
【０００３】
【発明が解決しようとする課題】
病院等の室内の空気を圧力による制御する場合で、特に、感染症対応病室（以下、隔離病室という）、又は無菌病室の室内差圧制御に使用する場合には、室間差圧は２０〜４０Ｐａ程度に設定している。また、このときのダンパの通過風量は２００ｍ3／時間（Ｈ）程度として室内圧力を維持するようにしている。病院としては、圧力制御可能な本病室を無菌病室と隔離病室とに使用できれば、空室になることが少なくなり、効率良く運営できるので、陽圧および陰圧に切替可能な圧力制御病室が望まれている。このためには、病室が陽圧および陰圧に容易に切り替えられるダンパが望まれている。しかしながら、上記の特公平１−４４９３７号公報に示す構造によれば、差圧ダンパは、空気の流れ方向が一方向であるため、室内圧力を大気圧に対して陽圧から陰圧に、あるいは、陰圧から陽圧に逆転させた場合には対応が不可能である。このためには、差圧ダンパを気流（空気の流れ）の方向に合わせて取付け直す工事が必要になり、取付け直す工事にはリーク防止用のコーキング作業あるいはその都度余分な工数等が必要になり、壁面が汚れる恐れが発生するとともに、工期期間が必要になり簡単に切替ができないという問題が生ずる。また、図１１に示すように、予め陽圧あるいは陰圧のいずれにも対応可能に、同じ物を2個用意して逆向きに壁に並列に設置する方法もあるが、この場合には、スペース的、あるいは、意匠的に設置できないことがあるという問題が生ずる。
【０００４】
本発明は上記問題点に着目し、陽圧・陰圧対応差圧調整ダンパに係り、特に、一対の差圧調整ダンパの作動を切り替えて容易に空気の流れを切り替えることができ、同じ室を陽圧および陰圧のいずれにも使用できる陽圧・陰圧対応差圧調整ダンパを提供することを目的としている。
【０００５】
また、本発明の他の目的は、壁を挟んで室圧を陽圧、陰圧のいずれかに容易に切り替えられる一対の差圧調整ダンパと遮蔽部材を設置し、この差圧調整ダンパと遮蔽部材とを当接させて空気を遮断し、一対の差圧調整ダンパを切り替えることにより、同じ病室を陽圧および陰圧のいずれにも使用できる陽圧・陰圧対応差圧調整ダンパを提供することにある。
【０００６】
【課題を解決するための手段】
上記の目的を達成するために、本発明に係るように、空気の圧力制御が行われる室に、壁に明けた孔を挟んで大気圧に対して陽圧あるいは陰圧に切り替える一対の差圧調整ダンパを設けるとともに、両差圧調整ダンパ間に室を陽圧あるいは陰圧のいずれかに切り替えるスライド遮蔽部材を前記孔内に設置してなる構成としている。
この場合において、前記スライド遮蔽部材に双方の室で操作可能な複数のスライド用爪を設けてなるようにすると良い。
【０００７】
または、空気の圧力制御が行われる室に、壁に明けた孔を挟んで配設され、かつ、孔に支持され空気を流通する連結部材で連結され大気圧に対して陽圧あるいは陰圧に切り替える一対の差圧調整ダンパを設けるとともに、連結された一対の差圧調整ダンパを移動して当接させ、室を陽圧あるいは陰圧のいずれかに切り替える遮蔽部材を前記孔内に設置してなるようにすると良い。
【０００８】
上記構成によれば、差圧により開閉する弁を有する差圧調整ダンパが、壁に明けられた孔を挟んで対向して一対設けられるとともに、スライド遮蔽部材が孔にスライド自在に支持され、かつ、差圧調整ダンパに当接して空気を遮断するように構成されている。これにより、スライド遮蔽部材が対向して配設される左右の差圧調整ダンパのいずれかに当接して所定差圧以下では空気の流通を遮断するとともに、所定差圧を越えたとき差圧調整ダンパを開口することで、同じ室を大気圧に対して陽圧あるいは陰圧に容易に切り替えることが出来る。例えば、室が大気圧に対して陽圧になるのに合わせてスライド遮蔽部材がスライドされると、室内の空気は差圧調整ダンパの弁を通して大気中あるいは陰圧側の室に排出される。このため、病室に使用した場合では、外部より無菌の新鮮な空気を供給することにより、病室の空気が排出され無菌病室が形成される。また、反対に、室が大気圧に対して陰圧になるのに合わせてスライド遮蔽部材がスライドされると、室内の空気は差圧調整ダンパの弁を通して大気中あるいは陽圧側の室に排出されることがなくなり、室は外部からの空気は入るが、外部に洩れることがなくなる。このために、病室に使用した場合では、外部に病室の空気が流れることがなくなり隔離された隔離病室が形成される。このように、スライド遮蔽部材がスライドされることにより、一対の差圧調整ダンパ内の開く弁が切り替わり、同じ病室が無菌病室にも、または、隔離病室にも使用することができる。また、スライド遮蔽部材は、両方の室からスライドできるため、同じ室を大気圧に対して陽圧あるいは陰圧に切り替える操作が容易になっている。また、スライド遮蔽部材と、壁の孔および遮蔽部材受け部材との間には、隙間を塞ぐＯリングが備えることにより空気の流れをなくすことが出来、例えば、病室では、無菌病室あるいは隔離病室をより確実に維持することができる。または、一対の差圧調整ダンパが空気を流通する連結部材で連結して一体化し、この一体化された差圧調整ダンパの所定の差圧調整ダンパを遮蔽部材に当接させて所定差圧以下では空気を遮断するとともに、所定差圧を越えたとき差圧調整ダンパの所定の弁を開口することで、前記と同様に、同じ室を大気圧に対して陽圧あるいは陰圧に容易に切り替えることが出来る。また、既存の設備には、本案の一対の差圧調整ダンパとスライド遮蔽部材を追加して改修することにより、病室では、容易に無菌病室あるいは隔離病室にすることができる。
【０００９】
【発明の実施の形態】
本発明に係る陽圧・陰圧対応差圧調整ダンパの実施形態を添付した図面に従って詳細に説明する。なお、従来例と同一部品には同一符号を付して説明は省略する。図１は本発明の第１実施例である陽圧・陰圧対応差圧調整ダンパ１の側面断面図、図２は陽圧・陰圧対応差圧調整ダンパ１の正面図、図３は陽圧・陰圧対応差圧調整ダンパ１の側面図で図２のＡーＡ断面図、図４は図１の室の陽圧・陰圧を切り替えた図である。
【００１０】
図１、図２あるいは図３において、陽圧・陰圧対応差圧調整ダンパ  １は、壁６３に明けられた孔６３ａを挟んで一対の差圧調整ダンパ３がダンパ用ブラケット５により壁面６３ｂから間隙Ｓｗを有して配設され、ダンパ用ブラケット５を介して壁面６３ｂに取着されている。以下、差圧調整ダンパ３およびダンパ用ブラケット５等に付す記号は、区別して記述する時に、図示の左側に配置されているものに添付記号ａを付して、例えば、左側ダンパ３ａおよび左側ブラケット５ａとし、また、図示の右側に配置されているものには添付記号ｂを付して、例えば、右側ダンパ３ｂおよび右側ブラケット５ｂと記して区別する。この陽圧・陰圧対応差圧調整ダンパ１は、前記の一対の差圧調整ダンパ３と、一対の差圧調整ダンパ３の間に配設され、一対の差圧調整ダンパ３のいずれを作動させるかを選択するスライド遮蔽部材７とにより構成されている。
【００１１】
差圧調整ダンパ３は、ダンパ用ブラケット５に取着されるダンパ本体１１と、ダンパ本体１１の内側に所定の角度Θａで固定されている中空円盤１３と、中空円盤１３に固着されるシャフト用ブラケット１５と、シャフト用ブラケット１５に直角に立設されたシャフト６７と、シャフト６７に沿って摺動自在に係合した弁２１と、弁２１を中空円盤１３に押圧するバランスウエイト７１とにより構成されている。一対の左側ダンパ３ａおよび右側ダンパ３ｂは、壁６３側に弁２１が来るように対向して設置され、かつ、両方の中空円盤１３が下側で狭く、上側で広くなるように所定の角度Θａで傾斜して配設されている。このため、シャフト６７は先端部が根元より上方に位置するように傾斜して取着されている。傾斜したシャフト６７に挿入された差圧調整ダンパ３の弁２１は、バランスウエイト７１の自重により差圧が所定値以下の時には中空円盤１３に押圧され、全閉状態を保ち空気の流通を遮断している。差圧が所定値を越えたときには前記弁２１が上方向に摺動し、中空円盤１３と弁２１の間に生じた開口Ｓｖから気流を流して圧力を調整するような構造である。
【００１２】
ダンパ本体１１は、正面視で中空矩形形状の鋼板枠で構成されており、その外方の上下あるいは左右のいずれかにダンパ用ブラケット５が取着されている。中空円盤１３は、外形が長方形形状の鋼板がダンパ本体１１の内面に側面視で所定の角度Θａを有して固定されており、また、鋼板の内方中心位置に円形形状の空気流通孔１３ａが明けられている。シャフト用ブラケット１５は、コ字形状の鋼板により形成されており、中空円盤１３の空気流通孔１３ａの外側で、かつ、空気が流通するように中空円盤１３の円盤壁面１３ｂより離間して固着されている。この実施例では、シャフト用ブラケット１５は、弁２１が当接する反対面側に取着されているが、弁２１が当接する側に取着しても良い。
【００１３】
弁２１は、シャフト６７に枢密に挿入され摺動するスリーブ２３と、スリーブ２３に付設された羽根２５とにより形成されている。また、スリーブ２３には図示しないベアリングが挿入され、シャフト６７に沿って円滑に摺動するように形成されている。羽根２５は、お椀型形状により形成されるとともに、そのお椀型形状部２５ａの外周部にパッキン部２５ｂが形成されている。羽根２５は、フッ素ゴム、シリコンゴム等の合成ゴム、あるいはテフロン、ナイロン等の合成樹脂等の弾性体により形成されている。または、羽根２５は、鋼板により形成され、パッキン部２５ｂにフッ素ゴム、シリコンゴム等の合成ゴム、あるいはテフロン、ナイロン等の合成樹脂等の弾性体を貼り付け、あるいは、焼き付けても良い。これにより、羽根２５は、中空円盤１３の円形形状の空気流通孔１３ａを覆って空気の流通、遮断を制御しているが、弾性体を用いることにより空気を完全に遮断することができる。また、羽根２５のパッキン部２５ｂは、中空円盤１３の一端側の円盤壁面１３ｂに当接したとき、空気の流通を遮断（シール）している。また、羽根２５は、差圧が生ずると、バランスウエイト７１、スリーブ２３、および羽根２５等の弁２１の自重に抗して押し上げて、羽根２５のパッキン部２５ｂと中空円盤１３の一端側の円盤壁面１３ｂとの間に差圧に応じた場合に開口Ｓｖを形成し、一定の差圧になるように空気の流通量を制御している。
【００１４】
スライド遮蔽部材７は、中空４角形状の箱型に形成されるとともに、その箱型の外側の周囲には所定の幅を有するスライダ用爪９が両端部に設けられている。両方のスライダ用爪９の間隔Ｄｓは、一対の差圧調整ダンパ３を構成するダンパ本体１１の内側の間隔Ｄａよりも小さく形成されている。スライダ用爪９には、スライド遮蔽部材７がスライドして左側ダンパ３ａあるいは右側ダンパ３ｂのいずれかに当接した時に、空気を遮断するパッキン３１が貼り付け、あるいは、焼き付けられている。また、スライダ用爪９は、左右どちらの室からも手動にて操作でき、スライド遮蔽部材７を左右いずれの方向にもスライド可能にできる構造になっている。このパッキン３１は、前記と同様に、材料がフッ素ゴム、シリコンゴム等の合成ゴム、あるいはテフロン、ナイロン等の合成樹脂等の弾性体により形成されている。スライド遮蔽部材７は、一対の差圧調整ダンパ３の間、即ち、左側ダンパ３ａと右側ダンパ３ｂとの間に配設されるとともに、壁６３に明けられた孔６３ａに取着された遮蔽板用受け部材３２にスライド自在に枢密に支持されている。また、スライド遮蔽部材７と遮蔽部材用受け部材３２との間、及び、遮蔽部材用受け部材３２と壁６３に明けられた孔６３ａとの間に、空気の流通を密封する図示しないシール部材を配置すると良い。
【００１５】
以上のように構成された陽圧・陰圧対応差圧調整ダンパ１の作動について、図１、図３および図４を用いて説明する。図１において、例えば、壁６３の左側室Ｌｍ（図示の左側）が陽圧であり、右側室Ｒｍが陰圧あるいは大気圧とする。この場合に、スライダ用爪９は左右いずれの室から、図３の二点鎖線に示すように、図示の左方向に手動にて操作されて、スライド遮蔽部材７のスライダ用爪９を左側ダンパ３ａの左用ダンパ本体１１ａに当接させる。これにより、スライド遮蔽部材７のスライダ用爪９ａと左側ダンパ本体１１ａとの間では空気の流通が遮断され、陽圧側の左側室Ｌｍと、右側室Ｒｍとの差圧Ｐａが設定値以下のときには、左側ダンパ３ａの羽根２５が、バランスウエイト７１、スリーブ２３、および羽根２５等の弁２１の自重により、パッキン部２５ｂが中空円盤１３の一端側の円盤壁面１３ｂに当接し空気の流通を遮断（シール）している。差圧Ｐａが設定値を越えると、左側ダンパ３ａは、差圧Ｐａにより、スリーブ２３、および羽根２５等の弁２１の自重に抗してシャフト６７に沿って摺動して、羽根２５のパッキン部２５ｂと中空円盤１３の一端側の円盤壁面１３ｂとの間が開口し、一定の差圧Ｐａになるように陽圧の左側室Ｌｍから円盤壁面１３ｂの空気流通孔１３ａ、スライド遮蔽部材７の内方部、および、スライド遮蔽部材７と右側ダンパ３ｂの右側吹出口Ｈｂを経て、陰圧あるいは大気圧の右側室Ｒｍに矢印Ｆｗのごとく流れる空気の流通量を制御している。このように、図示しない供給口より新鮮で無菌の空気を供給するとともに、陽圧の左側室Ｌｍの空気をパッキン部２５ｂと円盤壁面１３ｂとの間の左側開口Ｓｖａから右側吹出口Ｈｂを経て陰圧あるいは大気圧の右側室Ｒｍに流すことにより、例えば、陽圧の左側室Ｌｍは無菌病室として使用することができる。
【００１６】
また、図４において、反対に、例えば、壁６３の左側室Ｌｍ（図示の左側）が陰圧あるいは大気圧であり、右側室Ｒｍが陽圧とする。この場合に、前記と同様に、スライダ用爪９は左右いずれの室から、図３の実線で示すように、図示の右方向に手動にて操作されて、スライド遮蔽部材７のスライダ用爪９ｂを右側ダンパ３ｂの右用ダンパ本体１１ｂに当接させる。これにより、スライド遮蔽部材７のスライダ用爪９と右側ダンパ３ｂの右用ダンパ本体１１ｂとの間では空気の流通が遮断され、陽圧側の右側室Ｒｍと、左側室Ｌｍとの差圧Ｐａが設定値以下のときには、右側ダンパ３ｂの羽根２５が、バランスウエイト７１、スリーブ２３、および羽根２５等の弁２１の自重により、パッキン部２５ｂが中空円盤１３の一端側の円盤壁面１３ｂに当接し空気の流通を遮断（シール）している。差圧Ｐａが設定値を超えると、右側ダンパ３ｂは差圧Ｐａにより、スリーブ２３、および羽根２５等の弁２１の自重に抗してシャフト６７に沿って摺動して、羽根２５のパッキン部２５ｂと円盤壁面１３ｂとの間が開口Ｓｖし、一定の差圧Ｐａになるように陽圧の右側室Ｒｍから円盤壁面１３ｂの空気流通孔１３ａ、スライド遮蔽部材７の内方部、および、スライド遮蔽部材７と左側ダンパ３ａの左側吹出口Ｈａを経て、陰圧あるいは大気圧の左側室Ｌｍに流れる空気の流通量を制御している。このように、陽圧の右側室Ｒｍを新鮮で無菌の空気を供給することにより、陰圧の右側室Ｒｍの空気をパッキン部２５ｂと円盤壁面１３ｂとの間の右側開口Ｓｖｂから左側吹出口Ｈａを経て陰圧あるいは大気圧の左側室Ｌｍに流すことにより、例えば、陰圧の右側室Ｒｍは隔離病室として使用することができる。
【００１７】
なお、上記実施例では、一対の左側ダンパ３ａおよび右側ダンパ３ｂは、壁６３側に弁２１が来るように対向して設置し、かつ、両方の中空円盤１３が下側で狭く、上側で広くなるように配設されているが、反対に、図５に示すように、壁６３の反対側に弁２１（壁６３にシャフト用ブラケット１５を配置）が来るように対向して設置し、かつ、両方の中空円盤１３が下側で広く、上側で狭くなるように配設しても良い。この場合には、例えば、壁６３の左側室Ｌｍ（図示の左側）が陽圧であり、右側室Ｒｍが陰圧あるいは大気圧とすると、スライダ用爪９は左右いずれの室から図示の右方向に手動にて操作されて、スライド遮蔽部材７のスライダ用爪９を右側ダンパ３ｂの右用ダンパ本体１１ｂに当接させる。これにより、スライド遮蔽部材７のスライダ用爪９と右側ダンパ本体１１ｂとの間では空気の流通が遮断され、陽圧側の左側室Ｌｍと、右側室Ｒｍとの差圧Ｐａが設定値以下のときには、右側ダンパ３ｂにて空気の流通を遮断（シール）している。差圧Ｐａが設定値を越えると、差圧Ｐａにより、右側ダンパ３ｂが開口し、一定の差圧Ｐａになるように陽圧の左側室Ｌｍから陰圧あるいは大気圧の右側室Ｒｍに流れる空気の流通量を制御している。また、反対に、例えば、壁６３の左側室Ｌｍ（図示の左側）が陰圧あるいは大気圧であり、右側室Ｒｍが陽圧とすると、スライダ用爪９は左右いずれの室から図示の左方向に手動にて操作されて、スライド遮蔽部材７のスライダ用爪９を左側ダンパ３ａの左用ダンパ本体１１ａに当接させる。この場合に、左側ダンパ３ａが開口し、一定の差圧Ｐａになるように陽圧の左側室Ｌｍから陰圧あるいは大気圧の右側室Ｒｍに流れる空気の流通量を制御している。また、上記実施例では、ダンパ本体１１、およびスライド遮蔽部材７は、４角形状に形成したが、円形形状で形成しても良い。
【００１８】
次に、図６および図７は本発明の第２実施例である第１陽圧・陰圧対応差圧調整ダンパ１Ａについて説明する。なお、第１実施例と同一部品には同一符号を付して説明は省略する。図６は第１陽圧・陰圧対応差圧調整ダンパ１Ａの側面断面図、図７は図６の室の陽圧・陰圧を切り替えた図である。
【００１９】
図６あるいは図７において、第１陽圧・陰圧対応差圧調整ダンパ１Ａは、第１実施例の一対の左側ダンパ３ａおよび右側ダンパ３ｂが一体化された一対の第１差圧調整ダンパ３Ａと、壁６３に明けられた孔６３ａに挿入された遮蔽部材４５とにより形成されている。このとき、一対の第１差圧調整ダンパ３Ａは、第１実施例と同様に、壁６３側に弁２１が来るように対向して設置し、かつ、両方の中空円盤１３が下側で狭く、上側で広くなるように配設されている。また、一対の第１差圧調整ダンパ３Ａは、壁６３に明けられた孔６３ａを挟んで配設されるとともに、孔６３ａに設けられた軸受４１に支持された連結部材４３により接続されて配設されている。連結部材４３は、４個の丸棒材料により形成され、その内の下側の２個が軸受４１に摺動自在に支持されている。連結部材４３は、ほぼ四角形状の等間隔の位置に配置されている。第１陽圧・陰圧対応差圧調整ダンパ１Ａは、左側ダンパ３ａおよび右側ダンパ３ｂである第１差圧調整ダンパ３Ａが連結部材４３により接続されて一体に形成され、軸受４１に支持されて一体で左右方向に移動する。このとき、連結部材４３は、４個の丸棒の間を空気が流通されるように構成されている。また、上記では、４個の丸棒を使用したが、４本の鋼板を遮蔽部材用受け部材３２で支持するようにしても良い。スライダ用爪９は、左右どちらの室からも手動にて操作でき、スライド遮蔽部材７を左右いずれの方向にもスライド可能にできる構造になっている。
【００２０】
壁６３に明けられた孔６３ａには、遮蔽部材４５が固定されて取着されている。遮蔽部材４５は、中空４角形状の箱型に形成されるとともに、その箱型の外側の周囲には所定の幅を有する遮蔽板４７が両端部に設けられている。遮蔽板４７には、一体化された差圧調整ダンパ３がスライドして左側ダンパ３ａあるいは右側ダンパ３ｂのいずれかに当接した時に、空気を遮断するパッキン３１が貼り付け、あるいは、焼き付けられている。このパッキン３１は、前記と同様に、材料がフッ素ゴム、シリコンゴム等の合成ゴム、あるいはテフロン、ナイロン等の合成樹脂等の弾性体よりなっている。また、遮蔽部材４５は、内部下面に一体化された一対の第１差圧調整ダンパ３Ａを支持する軸受４１が取着されている。遮蔽部材４５の遮蔽板４７の間隔Ｄｅは、一対の第１差圧調整ダンパ３Ａに設けられたスライダ用爪９の間隔Ｄｆよりも小さく形成され、第１差圧調整ダンパ３Ａが左右のいずれにスライドしたときにも、遮蔽板４７とスライダ用爪９との間に隙間Ｓｃを形成し、空気を流通している。
【００２１】
以上のように構成された第１陽圧・陰圧対応差圧調整ダンパ１Ａの作動について、図６および図７を用いて説明する。図６において、例えば、壁６３の左側室Ｌｍ（図示の左側）が陽圧であり、右側室Ｒｍが陰圧あるいは大気圧とする。この場合に、一対の第１差圧調整ダンパ３Ａは左右いずれの室から図示の左方向に手動にて操作されて、遮蔽部材４５の遮蔽板４７を左側ダンパ３ａの左用ダンパ本体１１ａに当接させる。これにより、遮蔽部材４５の遮蔽板４７と、左側ダンパ３ａの左用ダンパ本体１１ａとの間では空気の流通が遮断され、陽圧側の左側室Ｌｍと、右側室Ｒｍとの差圧Ｐａが設定値以下のときには、左側ダンパ３ａの羽根２５が、バランスウエイト７１、スリーブ２３、および羽根２５等の弁２１の自重により、パッキン部２５ｂが中空円盤１３の一端側の円盤壁面１３ｂに当接し空気の流通を遮断（シール）している。差圧Ｐａが設定値を超えると、左側ダンパ３ａは差圧Ｐａにより、スリーブ２３、および羽根２５等の弁２１の自重に抗してシャフト６７に沿って摺動して、羽根２５のパッキン部２５ｂと中空円盤１３の一端側の円盤壁面１３ｂとの間が開口Ｓｖし、一定の差圧Ｐａになるように陽圧の左側室Ｌｍから円盤壁面１３ｂの空気流通孔１３ａ、遮蔽部材４５の内方部、および、遮蔽板４７と右側ダンパ３ｂの右側吹出口Ｈｂを経て、陰圧あるいは大気圧の右側室Ｒｍに流れる空気の流通量を制御している。このように、図示しない供給口より新鮮で無菌の空気を供給するとともに、陽圧の左側室Ｌｍの空気をパッキン部２５ｂと円盤壁面１３ｂとの間の左側開口Ｓｖａから右側吹出口Ｈｂを経て陰圧あるいは大気圧の右側室Ｒｍに流すことにより、例えば、陽圧の左側室Ｌｍは無菌病室として使用することができる。
【００２２】
また、図７において、反対に、例えば、壁６３の左側室Ｌｍ（図示の左側）が陰圧あるいは大気圧であり、右側室Ｒｍが陽圧とする。この場合に、前記と同様に、一対の第１差圧調整ダンパ３Ａは左右いずれの室から図示の右方向に手動にて操作されて、遮蔽部材４５の遮蔽板４７を右側ダンパ３ｂの右用ダンパ本体１１ｂに当接させる。これにより、遮蔽部材４５の遮蔽板４７と、右側ダンパ３ｂの右用ダンパ本体１１ｂとの間では空気の流通が遮断され、陽圧側の右側室Ｒｍと、左側室Ｌｍとの差圧Ｐａが設定値以下のときには、右側ダンパ３ｂの羽根２５が、バランスウエイト７１、スリーブ２３、および羽根２５等の弁２１の自重により、パッキン部２５ｂが中空円盤１３の一端側の円盤壁面１３ｂに当接し空気の流通を遮断（シール）している。差圧Ｐａが設定値を超えると、右側ダンパ３ｂは差圧Ｐａにより、スリーブ２３、および羽根２５等の弁２１の自重に抗してシャフト６７に沿って摺動して、羽根２５のパッキン部２５ｂと円盤壁面１３ｂとの間が開口し、一定の差圧Ｐａになるように陽圧の右側室Ｒｍから円盤壁面１３ｂの空気流通孔１３ａ、遮蔽部材４５の内方部、および、遮蔽板４７と左側ダンパ３ａの左側吹出口Ｈａを経て、陰圧あるいは大気圧の左側室Ｌｍに流れる空気の流通量を制御している。このように、陽圧の右側室Ｒｍを新鮮で無菌の空気を供給することにより、陰圧の右側室Ｒｍの空気をパッキン部２５ｂと円盤壁面１３ｂとの間の右側開口Ｓｖｂから左側吹出口Ｈａを経て陰圧あるいは大気圧の左側室Ｌｍに流すことにより、例えば、陰圧の右側室Ｒｍは隔離病室として使用することができる。
【００２３】
なお、第２実施例も、第１実施例と同様に、壁６３の反対側に弁２１（壁６３にシャフト用ブラケット１５を配置）が来るように対向して設置し、かつ、両方の中空円盤１３が下側で広く、上側で狭くなるように配設しても良い。作用については、第１実施例と同様に、壁６３の左側室Ｌｍ（図示の左側）が陽圧であり、右側室Ｒｍが陰圧あるいは大気圧とすると、一体化された一対の第１差圧調整ダンパ３Ａは左右いずれの室から図示の左方向に手動にて操作されて、遮蔽部材４５の遮蔽板４７を右側ダンパ３ｂの右用ダンパ本体１１ｂに当接させる。これにより、遮蔽部材４５の遮蔽板４７と、右側ダンパ３ｂの右用ダンパ本体１１ｂとの間では空気の流通が遮断される。これにより、前記と同様に、空気が流通するため詳細な説明は省略する。
【００２４】
上記のごとく、スライド遮蔽部材７、あるいは、一体化された一対の第１差圧調整ダンパ３Ａが左右方向に移動することにより、弁２１の開く差圧調整ダンパ３が切り替わり、同じ右側室Ｒｍの病室が無菌病室にも、または、隔離病室にも使用することができる。
【００２５】
上記に記載したように本発明は、空気の圧力制御が行われる室に、壁に明けた孔を挟んで大気圧に対して陽圧あるいは陰圧に切り替える一対の差圧調整ダンパを設けるとともに、両差圧調整ダンパ間に室を陽圧あるいは陰圧のいずれかに切り替えるスライド遮蔽部材を前記孔内に設置してなる構成にしたため、この一対の差圧調整ダンパの作動を切り替えることにより容易に空気の流れを切り替えることができ、同じ室を陽圧および陰圧のいずれにも使用できる。
【００２６】
【発明の効果】
以上説明したように、本発明における陽圧・陰圧対応差圧調整ダンパによれば、空気の圧力制御が行われる室に差圧により開閉する弁を有する一対の差圧調整ダンパと、遮蔽部材とが配設され、この遮蔽部材あるいは一対の差圧調整ダンパがスライドすることにより、所望される室内の陰圧あるいは陽圧になるので、同じ室が陽圧あるいは陰圧の両方に容易に切り替えて使用することが出来る。このため、従来の壁面が汚れることが無くなるとともに、工期期間が不要になる。これにより、例えば、病院等では、同じ室が無菌病室あるいは隔離病室で使用することが可能となり、病院等の経営効率を向上することができる。また、遮蔽部材あるいは一対の差圧調整ダンパが双方の室からスライドできることにより操作が容易になる。また、遮蔽部材と、壁の孔および遮蔽部材受け部材との間には、隙間を塞ぐシール部材が備えられているために空気の流れをなくすことが出来るため、例えば、病室では、無菌病室あるいは隔離病室をより確実に維持することができる。また、既存の設備に一対の差圧調整ダンパとスライド遮蔽部材とを追加することにより、病室では、容易に既存の設備を無菌病室あるいは隔離病室にすることができる。
【図面の簡単な説明】
【図１】本発明に係る第１実施例の陽圧・陰圧対応差圧調整ダンパの側面断面図である。
【図２】本発明に係る第１実施例の陽圧・陰圧対応差圧調整ダンパの正面図である。
【図３】本発明に係る第１実施例の陽圧・陰圧対応差圧調整ダンパの側面図で、図１のＡ−Ａ断面図である。
【図４】図１の室の陽圧・陰圧を切り替えた図である。
【図５】本発明に係る第１実施例の他例の陽圧・陰圧対応差圧調整ダンパの側面断面図である。
【図６】本発明に係る第２実施例の陽圧・陰圧対応差圧調整ダンパの側面断面図である。
【図７】図６の室の陽圧・陰圧を切り替えた図である。
【図８】従来のダンパの側面図である。
【図９】従来のダンパの平面図である。
【図１０】従来の他の実施例におけるダンパの側面図である。
【符号の説明】
１………陽圧・陰圧対応差圧調整ダンパ、
１Ａ………第１陽圧・陰圧対応差圧調整ダンパ、
３………一対の差圧調整ダンパ、３Ａ………一対の第１差圧調整ダンパ、
５………ダンパ用ブラケット、７………スライド遮蔽部材、
９………スライダ用爪、１１………ダンパ本体、１３………中空円盤、
１３ａ………空気流通孔、１５………シャフト用ブラケット、２１………弁、
２３………スリーブ、２５………羽根、３１………パッキン、
３２………遮蔽部材用受け部材、４３………連結部材、４５………遮蔽部材、
４７………遮蔽板、７１………バランスウエイト
【図１】
0003803765.tif 000002
【図２】
0003803765.tif 000003
【図３】
0003803765.tif 000004
【図４】
0003803765.tif 000005
【図５】
0003803765.tif 000006
【図６】
0003803765.tif 000007
【図７】
0003803765.tif 000008
【図８】
0003803765.tif 000009
【図９】
0003803765.tif 000010
【図１０】
0003803765.tif 000011